(57)【特許請求の範囲】
【請求項１】
第１位置および第２位置の間を移動可能に固定部に支持された可動体と、前記可動体を前記第２位置から第１位置側へ付勢する補助手段とを備えた遊技機であって、
前記補助手段は、
バネ鋼を渦巻き状に巻回した巻回部の外周側に位置する第１端部が前記固定部または可動体の何れか一方に連結されると共に、該巻回部の中心側に位置する第２端部が前記固定部または可動体の他方に連結されるゼンマイバネを備え、
前記可動体が第１位置から第２位置へ移動する際に、渦巻き状に巻回したバネ鋼が前記巻回部から引き出されるよう前記ゼンマイバネが弾性変形することで、該ゼンマイバネに発現する復元力により可動体を第１位置側へ付勢するよう構成され、
前記ゼンマイバネは、導電性を有し、アース部に接続されると共に、前記巻回部および前記第１端部の間に対向するよう設けられた駆動手段に接触するよう構成された
ことを特徴とする遊技機。
【請求項２】
前記可動体とは別の可動体が前記駆動手段の駆動により移動するよう構成され、
前記別の可動体は、前記可動体が前記第２位置にある状態で、該可動体の前側となる初期位置と、前記ゼンマイバネを前側から覆う移動位置との間を移動し得るよう構成された請求項１記載の遊技機。
【発明の詳細な説明】
【技術分野】
【０００１】
この発明は、駆動手段の駆動に伴い移動可能な可動体と、可動体を付勢する補助手段とを備えた遊技機に関するものである。
【背景技術】
【０００２】
パチンコ機やスロットマシン等の遊技機は、図柄組合わせ演出が行われる表示部を備えた表示装置を装備すると共に、表示部を囲む上下や左右には、各種の可動演出装置が配設されたものがある。可動演出装置は、表示装置の表示部での図柄組合わせ演出に合わせて移動する可動体を備えている。すなわち可動演出装置は、遊技機に搭載された制御手段により制御される駆動手段(例えば電気モータ、ロータリーソレノイド、リニアソレノイド等)を備えると共に、この駆動手段に可動体が連係されており、駆動手段の駆動により可動体が第１位置および第２位置の間を移動することで演出効果を高めるよう構成されている。このような可動演出装置を備えた遊技機は、特許文献１および２に開示されている。
【０００３】
前記遊技機に配設される可動演出装置は、演出効果を高めるため、可動体を大型にしたり、可動体の移動距離を大きく設定することがなされる。しかしながら、可動体を大型にしたり該可動体の移動距離を大きくすると、駆動手段に加わる負荷が大きくなって該駆動手段の故障が誘発されると共に、駆動手段と可動体との連係部の作動不良等も発生し易くなる。このため、特許文献１および２に示す可動演出装置では、補助手段としての引張りコイルバネを装備して、該バネが長手方向へ伸張した際に発現する復元力(付勢力)を可動体に付与させる構成とすることで、駆動手段に加わる負荷を軽減する対策が施されている。なお、補助手段としては、引張りコイルバネの他に、圧縮コイルバネや捩りバネ等も採用されている。
【先行技術文献】
【特許文献】
【０００４】
【特許文献１】特開２０１２−１１５５９７号公報
【特許文献２】特開２００９−２４０３８６号公報
【発明の概要】
【発明が解決しようとする課題】
【０００５】
補助手段として採用されるコイルバネは、細長い円筒状をなして嵩張った形状をなしており、所望の付勢力を発現するコイルバネの占有スペースを確保するため可動演出装置が大型になる問題がある。また、コイルバネの占有スペースの問題から、所望の付勢力を発現し得ないコイルバネを採用せざるを得ない場合には、駆動手段に加わる負荷が適切に軽減されないため、可動体のスムーズな移動が阻害される問題がある。
【０００６】
そこで本発明は、前述した課題を解決するために案出されたものであって、可動体のスムーズな移動を可能にし、かつ補助手段の占有スペースを小さくし得る遊技機を提供することを目的とする。
【課題を解決するための手段】
【０００７】
前記課題を克服し、所期の目的を達成するため、本願の請求項１に係る発明は、
第１位置および第２位置の間を移動可能に固定部(151)に支持された可動体(152)と、前記可動体(152)を前記第２位置から第１位置側へ付勢する補助手段(241)とを備えた遊技機であって、
前記補助手段(241)は、
バネ鋼を渦巻き状に巻回した巻回部(242)の外周側に位置する第１端部(243)が前記固定部(151)または可動体(152)の何れか一方に連結されると共に、該巻回部(242)の中心側に位置する第２端部(244)が前記固定部(151)または可動体(152)の他方に連結されるゼンマイバネを備え、
前記可動体(152)が第１位置から第２位置へ移動する際に、渦巻き状に巻回したバネ鋼が前記巻回部(242)から引き出されるよう前記ゼンマイバネ(241)が弾性変形することで、該ゼンマイバネ(241)に発現する復元力により可動体(152)を第１位置側へ付勢するよう構成され、
前記ゼンマイバネ(241)は、導電性を有し、アース部に接続されると共に、前記巻回部(242)および前記第１端部(243)の間に対向するよう設けられた駆動手段(260)に接触するよう構成されたことを要旨とする。
【０００８】
請求項１に係る発明によれば、固定部と可動体との間に架設されたゼンマイバネは、該可動体が第１位置から第２位置へ移動する際に、渦巻き状に巻回したバネ鋼が巻回部から引き出されるように弾性変形するので、可動体が第２位置から第１位置側へ付勢されるようになり、駆動手段の駆動に伴って可動体のスムーズな移動が可能となる。そして、ゼンマイバネは、巻回部からバネ鋼が引き出されるように弾性変形するので、可動体と他の構成部材との間の狭い隙間であっても該バネ鋼が延在可能であり、該ゼンマイバネの占有スペースを小さくして可動体の小型化を図り得る。
また、導電性を有するゼンマイバネが駆動手段に接触するので、該駆動手段に帯電し得る静電気を該ゼンマイバネを介してアース部へ放電することができる。また、バネ鋼から形成されたゼンマイバネが駆動手段に接触することで、該駆動手段で発生した熱をゼンマイバネを介して放熱することも可能である。
【０００９】
請求項２に記載の発明では、
前記可動体(152)とは別の可動体(153)が前記駆動手段(260)の駆動により移動するよう構成され、
前記別の可動体(153)は、前記可動体(152)が前記第２位置にある状態で、該可動体(152)の前側となる初期位置と、前記ゼンマイバネ(241)を前側から覆う移動位置との間を移動し得るよう構成されたことを要旨とする。
また、本願には、次のような技術的思想が含まれる。
前記可動体(152)は、前記第１位置および該第１位置より下方に離間した前記第２位置の間を昇降移動可能に配設されると共に、
前記可動体(152)には、前記ゼンマイバネ(241)における前記巻回部(242)から引き出されたバネ鋼の延在方向に沿う線上に、駆動手段(260)が配設されていることを要旨とする。
上記構成によれば、巻回部から引き出されたバネ鋼の延在方向に沿う線上において駆動手段が可動体に配設されているので、可動体がゼンマイバネによりバランスよく支持され、該可動体を第１位置および第２位置の間でスムーズに昇降移動させ得る。
【００１０】
本願には、次のような技術的思想が含まれる。
前記駆動手段(260)は、前記ゼンマイバネ(241)における前記固定部(151)に配設された巻回部(242)と前記可動体(152)に連結された第１端部(243)との間に配設され、
前記ゼンマイバネ(241)は、前記可動体(152)が第１位置において、前記巻回部(242)からバネ鋼が引き出された状態で該可動体(152)に連結されていることを要旨とする。
上記構成によれば、ゼンマイバネの巻回部が固定部に配設されているので、該ゼンマイバネの重量が可動体に付与されないようにし得る。そして、可動体が第１位置にある場合には、バネ鋼が巻回部から引き出された状態にゼンマイバネが弾性変形しているので、第１位置の可動体が第２位置側へ移動するのを規制し得る。
【発明の効果】
【００１１】
本発明に係る遊技機によれば、可動体のスムーズな移動を可能にすると共に、補助手段の占有スペースを小さくすることができる。
【図面の簡単な説明】
【００１２】
【図１】実施例のスロットマシンの正面図である。
【図２】図１のＸ１−Ｘ１線断面図である。
【図３】前方右斜め上方から見たスロットマシンの分解斜視図である。
【図４】後方左斜め上方から見たスロットマシンの分解斜視図である。
【図５】初期状態における実施例の可動演出装置を、前方右斜め上方から見た斜視図である。
【図６】初期状態の実施例の可動演出装置を、取付部材を取り除いた状態で後方左斜め上方から見た斜視図である。
【図７】取付部材を取り除いた初期状態の可動演出装置の平面図である。
【図８】取付部材を取り除いた初期状態の可動演出装置の左側面図である。
【図９】図５のＸ２−Ｘ２線断面図である。
【図１０】第１可動体が第１初期位置における第１作動機構の態様を後方から見た説明図である。
【図１１】第１可動体が第１移動位置に移動した可動演出装置を、前方右斜め上方から見た斜視図である。
【図１２】第１可動体が第１移動位置に移動した可動演出装置を、取付部材を取り除いた状態で後方左斜め上方から見た斜視図である。
【図１３】図１１のＸ３−Ｘ３線断面図である。
【図１４】第１可動体が第１移動位置における第１作動機構の態様を後方から見た説明図である。
【図１５】第１可動体が第１移動位置に移動すると共に各第２可動体が夫々の第２移動位置に移動した可動演出装置を、前方右斜め上方から見た斜視図である。
【図１６】第１可動体が第１移動位置に移動すると共に各第２可動体が夫々の第２移動位置に移動した可動演出装置を、後方左斜め上方から見た斜視図である。
【図１７】図１５のＸ４−Ｘ４線断面図である。
【図１８】各第２可動体が夫々の第２初期位置における第２作動機構の態様を前方から見た説明図である。
【図１９】各第２可動体が夫々の第２移動位置における第２作動機構の態様を前方から見た説明図である。
【図２０】可動演出体を分解した状態で前方右斜め上方から見た可動演出装置の斜視図である。
【図２１】可動演出体を分解した状態で後方左斜め上方から見た可動演出装置の斜視図である。
【図２２】ベース体および第１可動体に架設された状態で配設されるゼンマイバネの取付態様を示す分解斜視図である。
【図２３】前面ユニット部材の収容部内に配設された可動演出装置の作動態様を示す説明図であって、(ａ)は、第１可動体が第１移動位置に停止すると共に第２可動体が第２初期位置に停止した状態を示し、(ｂ)は、第１可動体が第１移動位置に停止した状態において各第２可動体が第２移動位置に移動した状態を示している。
【発明を実施するための形態】
【００１３】
次に、本発明に係る遊技機につき、好適な実施例を挙げて、添付図面を参照しながら以下詳細に説明する。なお実施例では、遊技機としてスロットマシン１０を例にして説明する。また、以下の説明において、「前」、「後」、「左」、「右」とは、特に断りのない限り、図１に示すようにスロットマシン１０を前側(遊技者側)から見た状態で指称する。
【実施例】
【００１４】
(スロットマシンの概略構成)
実施例のスロットマシン１０は、図１〜図４に示すように、前方に開口する矩形箱状に形成されて遊技店の図示しない設置枠台に縦置き姿勢で設置される本体としての筐体１２と、該筐体１２の前側に開閉可能に取り付けられた前側部材としての前面扉１４とを備えている。前面扉１４は、前面ユニット部材９０、前面パネル部材５５、演出表示装置７５等が配設され、該前面扉１４を筐体１２へ閉状態(図２参照)とすることで、該筐体１２の前側開口が塞がれるようになっている。また、前面扉１４の後側には、筐体１２に開閉可能に取り付けられた支持枠体１６を備えている。支持枠体１６には、図柄表示装置１００や制御装置１１０等が搭載され、該支持枠体１６を筐体１２へ閉状態(図２参照)とすることで、図柄表示装置１００、制御装置１１０等が筐体１２内に収容されるようになっている。また、筐体１２内には、メダルを払い出すホッパー装置１８や電源ユニット１９等が配設されている。
【００１５】
(筐体)
筐体１２は、図２〜図４に示すように、底板１２ａ、左右の側板１２ｂ,１２ｃ、天板１２ｄおよび後板１２ｅを備え、前側が開口する箱状の部材に形成されている。天板１２ｄは、底板１２ａより前後幅が小さく、左側板１２ｂおよび右側板１２ｃは、下縁部の前後幅が底板１２ａの前後幅と同じに設定されると共に上縁部の前後幅が天板１２ｄの前後幅と同じに設定されて、該左側板１２ｂおよび右側板１２ｃの前縁は上方に行くにつれて後方へ傾斜している。底板１２ａ、左右の側板１２ｂ,１２ｃ、天板１２ｄおよび後板１２ｅには、スリット状の貫通口が適宜位置に複数形成されており、筐体１２内の換気を行い得るようになっている。また、底板１２ａ、左右の側板１２ｂ,１２ｃ、天板１２ｄおよび後板１２ｅの内側には薄い金属板２０が配設されており、筐体１２内に収容された装置や機器が電磁波等の影響を受け難く構成されている。
【００１６】
(ヒンジ支持部材)
筐体１２には、図３に示すように、前面扉１４および支持枠体１６を回転可能に支持するヒンジ支持部材２１が、左側板１２ｂの内面における前縁に沿う部位に設けられている。ヒンジ支持部材２１は、前面扉１４および支持枠体１６を共通に支持する第１ヒンジ支持部２２と、前面扉１４を支持する第２ヒンジ支持部２３と、支持枠体１６を支持する第３ヒンジ支持部２４とからなる。第１ヒンジ支持部２２は、筐体１２の上部に設けられ、前面扉１４および支持枠体１６の左側端縁を回動自在に片持支持可能となっている。第２ヒンジ支持部２３は、筐体１２の下部に設けられ、前面扉１４を回動自在に片持支持可能となっている。第３ヒンジ支持部２４は、第１ヒンジ支持部２２と第２ヒンジ支持部２３との間に設けられ、支持枠体１６を回動自在に片持支持可能となっている。第１ヒンジ支持部２２、第２ヒンジ支持部２３および第３ヒンジ支持部２４は、上方に向けて突出した支持ピンを夫々が備えている。
【００１７】
筐体１２には、図３に示すように、右前端縁の内側(右側板１２ｃの前端縁内側)に、前面扉１４を閉状態にロックするロック部材２５が設けられている。また、筐体１２における右前端縁の内側に、支持枠体１６を閉状態にロックするロック部材(図示省略)が設けられている。
【００１８】
(支持枠体)
支持枠体１６は、図２〜図４に示すように、図柄表示装置１００、制御装置１１０およびその他の構成部材や部品が取り付けられるよう構成されている。支持枠体１６は、左右に離間して配置され、上下方向に延在する左枠部材３０および右枠部材３１と、左枠部材３０および右枠部材３１の下部に固定された下枠部材３２と、左枠部材３０の上部後側および右枠部材３１の上部後側に固定される上枠部材３３とを備えている。左枠部材３０の下部後側および右枠部材３１の下部後側には図柄表示装置１００が固定され、下枠部材３２と上枠部材３３との間に図柄表示装置１００が保持されるようになっている。また、上枠部材３３は、上方から見て後方へ突出したコ字形に構成されており、制御装置１１０をなすメイン制御装置１１１およびサブ制御装置１１２が前後に重なった状態で固定されるようになっている。
【００１９】
(連結部材および係止部材)
支持枠体１６の左枠部材３０には、図３および図４に示すように、筐体１２に設けられた前述のヒンジ支持部材２１における第１ヒンジ支持部２２および第３ヒンジ支持部２４の各支持ピンが嵌合するヒンジ連結部３４,３４が設けられている。これにより支持枠体１６は、第１ヒンジ支持部２２および第３ヒンジ支持部２４にヒンジ連結部３４,３４が連結されることで、筐体１２に対して回転可能に配設され、該筐体１２の前側開口に収容された閉状態(図２参照)および筐体１２から前方へ延出した開状態とに姿勢変位するようになっている。また、支持枠体１６の右枠部材３１には、図３に示すように、該支持枠体１６の閉状態時に、筐体１２に設けられたロック部材(図示せず)に係脱可能に係止する係止部材３５が設けられている。これにより支持枠体１６は、係止部材３５がロック部材に係止することで閉状態に姿勢保持され、図柄表示装置１００、制御装置１１０をなすメイン制御装置１１１およびサブ制御装置１１２等を筐体１２内に保持する。
【００２０】
(図柄表示装置について)
図柄表示装置１００は、図２〜図４に示すように、第１〜第３リールユニット１０１,１０２,１０３を、前側が開口したユニットケース１０４内に横並びに収容してユニット化されている。ユニットケース１０４には、支持枠体１６に固定するための固定部が設けられており、図柄表示装置１００は、ユニットケース１０４の前側開口を支持枠体１６に整合させた状態で該支持枠体１６に取り付けられる。第１〜第３リールユニット１０１,１０２,１０３は、図２に示すように、駆動基板１０５と、駆動基板１０５に配設されたステッピングモータであるリール駆動モータ１０６と、図示省略した複数の図柄が周囲に配置され、リール駆動モータ１０６により回転されるリール１０７と、リール１０７の内側に配設されて図柄を内側から照明する照明装置１０８等を備えている。このような図柄表示装置１００は、前面パネル部材５５に配設されたスタートレバー６３(図１参照)が操作されると、第１〜第３リールユニット１０１,１０２,１０３の各リール１０７,１０７,１０７が回転を開始されるよう制御される。また、図柄表示装置１００は、前面パネル部材５５に配設された第１ストップボタン６４(図１参照)の押圧操作に基づいて第１リールユニット１０１のリール１０７を停止させ、第２ストップボタン６５の押圧操作に基づいて第２リールユニット１０２のリール１０７を停止させ、第３ストップボタン６６の押圧操作に基づいて第３リールユニット１０３のリール１０７を停止させるよう制御される。
【００２１】
(制御装置について)
制御装置１１０は、支持枠体１６に対して、図柄表示装置１００の配設位置より上側に配設されている。この制御装置１１０は、支持枠体１６の上枠部材３３に配設されたメイン制御装置１１１およびサブ制御装置１１２から構成される。実施例では、上枠部材３３の後面側にメイン制御装置１１１が取り付けられると共に、該上枠部材３３にサブ制御装置１１２が収納状態で取り付けられている。メイン制御装置１１１には、前面パネル部材５５に設けられた１ベットボタン６０、ＭＡＸベットボタン６１、スタートレバー６３、第１〜第３ストップボタン６４,６５,６６、そして第１〜第３リールユニット１０１,１０２,１０３の駆動モータ１０６やホッパー装置１８等が接続されている。なお、１ベットボタン６０、ＭＡＸベットボタン６１、スタートレバー６３、第１〜第３ストップボタン６４,６５,６６は、該１ベットボタン６０、ＭＡＸベットボタン６１、スタートレバー６３、第１〜第３ストップボタン６４,６５,６６が操作された際に操作信号を出力するスイッチを備えている。そして、メイン制御装置１１１は、１ベットボタン６０、ＭＡＸベットボタン６１、スタートレバー６３、第１〜第３ストップボタン６４,６５,６６等からの操作信号の入力に基づいて、第１〜第３リールユニット１０１,１０２,１０３の動作制御および入賞役抽選等の、主としてスロットマシン１０の遊技に関する各種制御を行うよう構成されている。これに対してサブ制御装置１１２には、演出表示装置７５、照明装置６８を含む各種照明装置、スピーカ７０、可動演出装置１５０を含む各種演出装置等が接続されている。そして、サブ制御装置１１２は、遊技の進行に応じた画像や動画等の選択、演出表示装置７５の表示部７７での表示態様、照明装置６８の発光態様、可動演出装置１５０を含む演出装置の動作態様およびスピーカ７０の音出力態様等に関する、主にスロットマシン１０における遊技の演出に関する各種制御を行うよう構成されている。
【００２２】
(前面扉)
前面扉１４は、図２〜図４に示すように、筐体１２の前側開口の外周縁に整合する形状の前枠体１５を備えている。前枠体１５は、左右方向に延在する下枠部材４０と、上下方向に延在して下枠部材４０の左端に下端が連結される左枠部材４１と、上下方向に延在して下枠部材４０の右端に下端が連結される右枠部材４２と、左右方向に延在して左枠部材４１の上端および右枠部材４２の上端に左端および右端が夫々連結される上枠部材４３とにより枠状に構成される。また、前枠体１５には、上枠部材４３と下枠部材４０との間に、左右に延在する中枠部材４４が、その左端が左枠部材４１の上下中間部に連結されると共に右端が右枠部材４２の上下中間部に連結された状態で設けられている。ここで、前枠体１５における上下略中央から上側部分が第１設置部４５であり、該前枠体１５における上下略中央から下側部分が第２設置部４６となっている。第１設置部４５には、前面ユニット部材９０および演出表示装置７５が着脱可能に取り付けられると共に、第２設置部４６には、前面パネル部材５５が取り付けられる。また、前枠体１５において、左枠部材４１、右枠部材４２、上枠部材４３および中枠部材４４で囲まれた開口に、該開口に整合する透明なガラス板４９が取り付けられている(図２、図３参照)。
【００２３】
(連結部材およびロック機構)
前面扉１４の左枠部材４１には、図３または図４に示すように、筐体１２に設けられた前述のヒンジ支持部材２１における第１ヒンジ支持部２２および第３ヒンジ支持部２４の各支持ピン２２ａ,２４ａが嵌合するヒンジ連結部４７,４７が設けられている。これにより前面扉１４は、第１ヒンジ支持部２２および第３ヒンジ支持部２４にヒンジ連結部４７,４７が連結されることで筐体１２に対して回転可能に配設され、該前面扉１４は、該筐体１２の前側開口に前枠体１５が整合した閉状態(図２参照)および筐体１２から前方へ延出した開状態とに姿勢変位するようになっている。また、前面扉１４の右枠部材４２には、図４に示すように、該前面扉１４の閉状態時に、筐体１２に設けられた前述のロック部材２５に係脱可能な係止部を備えたロック機構４８が設けられている。これにより前面扉１４は、ロック機構４８の係止部がロック部材２５に係止することで、閉状態に姿勢保持されるようになっている。なお、ロック機構４８は、開閉鍵による操作により、係止部とロック部材２５との係止を解除可能に構成されている。
【００２４】
(前面パネル部材)
前面パネル部材５５は、図１〜図４に示すように、前方へ膨出した形状に構成されている。前面パネル部材５５は、上部に設けれた操作パネル部５６と、該操作パネル部５６の下側に設けられた装飾パネル部５７と、装飾パネル部５７の下側に設けられた受け皿５８とを備えている。操作パネル部５６の上面には、遊技媒体であるメダルを投入するメダル投入口５９と、クレジットメダルを用いて遊技状態に応じて定められた規定の投入数のうち最大投入数(実施例では３枚)を投入する際に操作されるＭＡＸベットボタン６１と、遊技中の適時に操作可能なチャンスボタン６２と、精算スイッチ７１等が配設されている。また、１枚のクレジットメダルを投入する際に操作される１ベットボタン６０が、操作パネル部５６の前面左側に設けられている。また、操作パネル部５６の前面には、図柄表示装置１００における第１〜第３リールユニット１０１,１０２,１０３のリール１０７,１０７,１０７を回転させて遊技を開始する際に操作されるスタートレバー６３と、第１リールユニット１０１のリール１０７を停止させる際に操作される第１ストップボタン６４と、第２リールユニット１０２のリール１０７を停止させる際に操作される第２ストップボタン６５と、第３リールユニット１０３のリール１０７を停止させる際に操作される第３ストップボタン６６等が配設されている。
【００２５】
装飾パネル部５７には、透明または半透明な部材で透光性を有する装飾部材６７と、該装飾部材６７の後側に配設された照明装置６８と、受け皿５８の後方に配設されたスピーカ７０等によりユニット化されており、照明装置６８に設けられた発光ランプ６８ａが点灯・点滅することで、装飾部材６７が明輝されるようになっている。また、スピーカ７０,７０の間には排出口６９が設けられ、ホッパー装置１８から払い出されたメダルが、該排出口６９から受け皿５８に向けて払い出され得るようになっている。
【００２６】
実施例のスロットマシン１０では、メダル投入口５９にメダルを投入するか、１ベットボタン６０またはＭＡＸベットボタン６１が操作されると、メダルがベットされてスタートレバー６３が有効化されるようになっている。そして、有効化されたスタートレバー６３が操作されると、これに伴ってゲームが開始される。また、ゲームが開始されると、メイン制御装置１１１において入賞役に当選か否かを決定する入賞役抽選が実行されて複数種類の入賞役の何れかまたははずれが決定されると共に、第１〜第３リールユニット１０１,１０２,１０３の各リール１０７が回転を開始する。その後、各第１〜第３ストップボタン６４,６５,６６が有効化され、有効化された第１〜第３ストップボタン６４,６５,６６が操作されると、操作された第１〜第３ストップボタン６４,６５,６６に対応する第１〜第３リールユニット１０１,１０２,１０３のリール１０７の回転が停止される。そして、第１〜第３リールユニット１０１,１０２,１０３のリール１０７が全て停止することで１回のゲームが終了し、このゲームの結果、入賞役抽選で当選した入賞役が入賞(当選した入賞役に対応する図柄の組合わせが揃った場合)すると、入賞した入賞役に対応付けられた処理が実行されるようになっている。
【００２７】
ここで、前記入賞役としては、所定数のメダルが払い出される小役や、メダルをベットすることなくゲームを実行できるリプレイ役や、次回以降に特殊ゲームが開始されるボーナス役等、その他各種の入賞役が設定されている。
【００２８】
(演出表示装置)
演出表示装置７５は、図２〜図４に示すように、演出内容を表示する表示部７７を備えた表示ユニット７６と、表示ユニット７６を後側から保持すると共に前面扉１４に取り付けられる保持部材７８とを備えている。表示ユニット７６は、略矩形状に形成されて、第１設置部４５の開口領域と略同じ大きさに構成されている。演出表示装置７５は、図１に示すように、上下略中央より上側に、画像や映像等による演出表示が可能な表示部７７が設けられると共に、該表示部７７の下側に、図柄表示装置１００の第１〜第３リールユニット１０１,１０２,１０３における各リール１０７の外周面に形成された図柄を透視可能な窓部８２,８２,８２が横並びに設けられている。
【００２９】
実施例の表示ユニット７６は、表示部７７として液晶パネルが採用されており、遊技の進行に応じて種々の画像や動画等が表示可能となっている。表示ユニット７６の表示部７７で表示する画像や動画としては、例えば各種の入賞役の成立を遊技者に報知する画像や、遊技者の興趣を向上させるようなキャラクター動画等が挙げられる。表示部７７としては、液晶パネルに限らず、有機ＥＬ（Ｅｌｅｃｔｒｏ−Ｌｕｍｉｎｅｓｃｅｎｃｅ）等であってもよい。なお、表示部７７の後側には、サブ制御装置１１２からの配線を接続するコネクタ端子８１が設けられている。
【００３０】
各窓部８２,８２,８２は、図１に示すように、図柄表示装置１００の第１〜第３リールユニット１０１,１０２,１０３の前方に設けられている。各窓部８２,８２,８２は、矩形状をなし、リール１０７,１０７,１０７の外周に形成された図柄のうちの複数(実施例では３個)の図柄を透視可能な大きさに形成されており、３列×３段で合計９個の図柄が視認可能となっている。
【００３１】
保持部材７８は、図２および図４に示すように、前方に開口して表示ユニット７６を収容可能な形状に形成された部材である。保持部材７８には、透視領域８０の各窓部８２,８２,８２を後側へ露出させる開口部８３が設けられている。保持部材７８には、前面扉１４に固定するための取付手段が設けられており、表示ユニット７６が保持部材７８に収容保持された演出表示装置７５は、該取付手段を利用して前面扉１４の第１設置部４５に後側から着脱可能に取り付けられるようになっている。
【００３２】
(前面ユニット部材)
前面ユニット部材９０は、図２〜図４に示すように、前面扉１４の前枠体１５における第１設置部４５に対し、前側から着脱可能に取り付けられる。前面ユニット部材９０は、第１設置部４５の全体を前側から覆い得る形状に形成され、演出表示装置７５の前側に重なるように配設されると共に、前面パネル部材５５の上側に重なるように配設される。前面ユニット部材９０は、前面扉１４に固定される支持体９１と、該支持体９１の前側に設けられた装飾体９２とを備えている。支持体９１と装飾体９２とは、別々に組み立てられた後に互いに組み付けられるよう構成されている。なお、前面ユニット部材９０は、支持体９１と装飾体９２とを一体に形成した単一の部材として構成したものであってもよい。
【００３３】
支持体９１は、図３および図４に示すように、中央に表示開口９１ａが形成されて矩形枠状に形成されており、可動演出装置１５０や、装飾部材、照明装置および中継基板等が取り付けられるようになっている。支持体９１の表示開口９１ａには、前面ユニット部材９０を取り付けた前面扉１４を閉状態とした際に、演出表示装置７５の表示部７７および各窓部８２,８２,８２が臨むようになっている。装飾体９２は、図１〜図４に示すように、後側へ開口した箱体状に構成され、左縁から上縁および右縁に亘って延在する外周装飾部９３と、外周装飾部９３の前部内側に設けられた透明または半透明な前面板部９４とを備えている。外周装飾部９３は、前面板部９４の上側に位置する上装飾壁９３ａの前後幅が最大で、前面板部９４の左側に位置する左装飾壁９３ｂおよび右側に位置する右装飾壁９３ｃの下部における前後幅が最小となっている。そして、左装飾壁９３ｂおよび右装飾壁９３ｃは、上装飾壁９３ａに連設する上部から略上下中央までは略同じ前後幅に形成されて、上下中央から下方に行くにつれて前後幅が徐々に小さくなっている。外周装飾部９３は、透明または半透明に構成されて光透過性を有し、該外周装飾部９３の内側には発光基板(図示せず)が複数配設されており、該発光基板に実装されたＬＥＤが点灯制御されることで外周装飾部９３の外面が明輝するよう構成されている。
【００３４】
前面板部９４は、図２〜図４に示すように、外周装飾部９３の左装飾壁９３ｂおよび右装飾壁９３ｃの前縁形状に合わせて上下略中央で折曲しており、該折曲部から上側部分が略垂直に延在しており、該折曲部から下側部分は、下方に行くにつれて後方へ変位するよう後方傾斜している。前面板部９４は、支持体９１の表示開口９１ａと略同じ大きさとなっており、演出表示装置７５の表示部７７および各窓部８２,８２,８２の前側に重なるように配設されている。すなわち、前面板部９４は、図柄表示装置１００の第１〜第３リールユニット１０１,１０２,１０３と前後に重なるように配設されている。また、前面板部９４は、演出表示装置７５の表示部７７および各窓部８２,８２,８２の前面から前側へ離間した位置に配設されている。
【００３５】
(収容部)
前面ユニット部材９０は、図２に示すように、前面板部９４の後側に、可動演出装置１５０等を収容可能な収容部９５が画成されている。収容部９５は、演出表示装置７５における表示部７７の前側に画成されている。また、収容部９５は、前面ユニット部材９０の後端より前側に画成されている。従って、収容部９５は、可動演出装置１５０の可動体１５２,１５３が表示部７７の前側まで移動するのを許容するように構成され(図２２参照)、前面板部９４を介して該可動体１５２,１５３を透視可能に構成されている(図１参照)。更に、前面ユニット部材９０は、可動演出装置１５０を該前面ユニット部材９０に取り付けた状態で、前枠体１５に対して前側から着脱可能となっている。
【００３６】
(可動演出装置)
次に、可動演出装置１５０について説明する。実施例の可動演出装置１５０は、図５〜図８、図１１、図１２、図１５および図１６に示すように、前面ユニット部材９０における支持体９１の上部前側に配置するベース体(固定部)１５１と、ベース体１５１に重なる第１初期位置(第１位置)および該第１初期位置から離間した第１移動位置(第２位置)の間を移動可能な第１可動体(可動体)１５２と、第１可動体１５２に配設されて、該第１可動体１５２に重なる第２初期位置および該第２初期位置から離間した第２移動位置の間を移動可能な第２可動体１５３,１５３とを備えている。そして、可動演出装置１５０は、ベース体１５１に配設されて、第１可動体１５２を第１初期位置および第１移動位置の間で移動させる第１作動機構１５４と、第１可動体１５２に配設されて、第２可動体１５３,１５３を第２初期位置および第２移動位置の間で移動させる第２作動機構１５５とを備えている。このような可動演出装置１５０は、ベース体１５１の後側に固定された取付部材１５７を前面ユニット部材９０における支持体９１の上部前側に固定することで、該前面ユニット部材９０に画成された収容部９５に収容された状態で該前面ユニット部材９０に取り付けられる(図１、図２参照)。
【００３７】
(ベース体)
ベース体１５１は、図５〜図８、図１１、図２０および図２１に示すように、前面ユニット部材９０の支持体９１の上部前側に固定されるよう構成されている。ベース体１５１は、該ベース体１５１の前側部分を構成する第１ベース部材１６０と、該第１ベース部材１６０の後側に組み付けられる第２ベース部材１７０とを備え、第１ベース部材１６０と第２ベース部材１７０とを前後に組み付けることで、下方に開口した第１配設空間１５１ａが画成された箱体に構成されている。なお、第１ベース部材１６０と第２ベース部材１７０とは、第１ベース部材１６０に後方へ突出して設けられた係止爪と第２ベース部材１７０に設けられた係止孔とを係止させることで組み付けられる。
【００３８】
(第１ベース部材)
第１ベース部材１６０は、図１１、図２０および図２１に示すように、左右中央を境にした左側部分の上下寸法が右側部分より小さい形状をなした前板部１６１と、該前板部１６１の上縁および右縁から後方へ延出した外周板部１６２とを備えている。前板部１６１の左側部分の後側には、取付部材１５６に配設した後述のロック装置２７０が対向すると共に、第２ベース部材１７０に配設した後述する補助手段としてのゼンマイバネ２４１が対向するようになっている。
【００３９】
(第２ベース部材)
第２ベース部材１７０は、図６、図７、図２０および図２１に示すように、主に第１ベース部材１６０の右側部分の裏側を覆い得る形状をなした後板部１７１と、該後板部１７１の上縁および右縁から前方へ延出した内周板部１７２とを備えている。後板部１７１には、左右方向において便宜上３つの領域に分けられ、ベース体１５１に第１可動体１５２を移動可能に支持するスライドレール１９０を設置する第１レール固定部１７３と、第１作動機構１５４を構成する駆動手段としての第１駆動モータ２３０を固定する第１モータ固定部１７４と、第１ベース部材１６０に配設した前述の第１レバー部材２３１の揺動端の移動軌跡に沿って延在するガイド溝１７６が形成されたガイド形成部１７５とが並んで設けられている。そして、後板部１７１の前面における中央上部には、第１作動機構１５４を構成する第１レバー部材２３１が、第１配設空間１５１ａに収容された状態で回動可能に支持する第１支持部１６３が設けられている(図２１参照)。また、第２ベース部材１７０において、第１レール固定部１７３の左隣りに位置する左側壁１８２には、補助手段としてのゼンマイバネ２４１を回転自在に支持するバネ支持体２４５を取り付けるバネ支持部１７７が設けられている。
【００４０】
第１レール固定部１７３は、図２０〜図２２に示すように、上下方向に延在する縦長の部分であり、第１モータ固定部１７４およびガイド形成部１７５よりも後方へ突出しており、スライドレール１９０の固定支持レール１９１が取り付けられる前側は、第１モータ固定部１７４およびガイド形成部１７５より後方へ凹んでいる。第１モータ固定部１７４の前面には、スライドレール１９０の固定支持レール１９１を固定するネジが締結される複数(実施例では２つ)のネジ締結ボス１７８が、上下に離間して設けられている。これにより、スライドレール１９０は、移動支持レール１９３が上下方向にスライド可能に第１レール固定部１７３に固定される。また、第１レール固定部１７３の後面には、ベース体１５１の後側に取り付けられる取付部材１５７を固定するネジが螺合する固定ボス１７９が、後方へ突出した状態で複数(実施例では３つ)設けられている。
【００４１】
第１モータ固定部１７４は、図２０〜図２２に示すように、第１駆動モータ２３０におけるモータ本体の前面が当接する後板部１７１の後面から前方へ凹むと共に後方に開口したギア収容部１８０が設けられている。このギア収容部１８０は、第１駆動モータ２３０の駆動軸２３０ａに固定された第１駆動ギア２３３が、回転可能に収容可能な大きさに形成されている。また、ギア収容部１８０は、後板部１７１から前側へ突出した部分の上部が開口しており(図２１参照)、該ギア収容部１８０に収容された第１駆動ギア２３３の上側部分が、後板部１７１の前側(第１配設空間１５１ａ内)に露出するようになっている。なお、第１モータ固定部１７４には、第１駆動モータ２３０を固定するネジが螺合するネジ締結孔１８１が複数(実施例では２つ)設けられている。
【００４２】
ガイド形成部１７５に形成されたガイド溝１７６は、図６および図１２に示すように、後板部１７１を前後に貫通する細長の開口であって、第１ベース部材１６０に設けられた第１支持部１６３を中心とした円弧状に形成されている。ガイド溝１７６は、第１支持部１６３の右斜め下方に位置しており、右斜め下方へ凸となる円弧状に形成されている。ガイド溝１７６は、第１支持部１６３に回転可能に支持された第１レバー部材２３１の揺動端(先端)側に配設されたスライド部材２３５が摺動可能に係合されるようになっている。
【００４３】
内周板部１７２は、図６および図１２に示すように、第１ベース部材１６０と第２ベース部材１７０とを組み付けた際に、外周板部１６２の内側に沿って延在するように形成されている。そして、内周板部１７２と外周板部１６２との間には、配線が収容可能な隙間が画成されるよう構成されている。ここで、内周板部１７２と外周板部１６２との間には、第１可動体１５２に配設された第１発光基板(図９、図２０、図２１参照)２２３と取付部材１５６に配設された中継基板(図１６参照)１８９とを電気的に接続する配線(図示せず)が収容されるようになっている。
【００４４】
(取付部材)
ベース体１５１の後側に固定される取付部材１５６は、図９、図１６、図２０および図２１に示すように、第２ベース部材１７０に設けられた各固定ボス１７９に固定される略矩形状の支持板部１８５と、支持板部１８５の上縁および下縁から後方へ延出して、前面ユニット部材９０の支持体９１により固定される取付片部１８６,１８７とを備えている。支持板部１８５の左側には、ロック装置２７０を固定する取付台座部１８５ａが設けられている。また、支持板部１８５の右側には、第１作動機構１５４における第１駆動モータ２３０のモータ本体との干渉を回避する凹部１８８が設けられている。下側の取付片部１８７は、支持体９１に形成された係止部(図示せず)に係止され、上側の取付片部１８６は、支持体９１に形成されたネジ締結孔(図示せず)に締結されるネジにより該支持体９１に固定されるようになっている。また、支持板部１８５の後面には、サブ制御装置１１２のサブ制御基板に電気的に接続された中継基板１８９が配設されている。
【００４５】
(スライドレール)
第１可動体１５２は、図２０〜図２２に示すように、ベース体１５１に配設されたスライドレール１９０に支持されて、第１初期位置および該第１初期位置より下方の第１移動位置との間を昇降移動するようになっている。スライドレール１９０は、ベース体１５１の第２ベース部材１７０に設けられた第１レール固定部１７３に固定される固定支持レール１９１と、該固定支持レール１９１にその長手方向へスライド移動可能に配設されたスライド体１９２と、固定支持レール１９１に対してスライド体１９２を挟んで対向して配設され、該スライド体１９２にスライド移動可能に配設された移動支持レール１９３とから構成されている。固定支持レール１９１は、長手方向(スライド方向)が上下方向となる向きで、第１レール固定部１７３の前面に固定されている。また、移動支持レール１９３には、第１可動体１５２の後述する第２レール固定部２１２に固定可能となっている。
【００４６】
スライドレール１９０の移動支持レール１９３は、固定支持レール１９１と前後方向で整合した重なり位置(図１０参照)と、該重なり位置から下方へ移動して該固定支持レール１９１から下方へ延出した延出位置(図１２、図１４参照)との間を移動可能に構成されている。そして、移動支持レール１９３が重なり位置となることで第１可動体１５２が第１初期位置となり、移動支持レール１９３が延出位置となることで第１可動体１５２が第１移動位置となるよう構成されている。なお、実施例のスライドレール１９０は、固定支持レール１９１、スライド体１９２および移動支持レール１９３が金属製である。これにより、第１可動体１５２および各第２可動体１５３,１５３等の重量を支持した移動支持レール１９３が重なり位置および延出位置の間を移動する際に、該移動支持レール１９３および固定支持レール１９１に撓み変形や捻れ変形が発現し難く構成されている。また、スライドレール１９０は、移動支持レール１９３が固定支持レール１９１に対してがたつくことなくスムーズなスライド移動が可能となっている。
【００４７】
(第１可動体)
第１可動体１５２は、図９、図１２、図１５、図２０および図２１に示すように、第１支持体２００と、該第１支持体２００の前側に取り付けられた第１装飾体２０１とを備えている。第１支持体２００は、前述したスライドレール１９０の移動支持レール１９３を介してベース体１５１に支持されている。また、第１支持体２００には、２つの第２可動体１５３,１５３が、夫々の第２初期位置および第２移動位置の間で移動可能に配設されていると共に、各第２可動体１５３,１５３を第２初期位置および第２移動位置の間で移動させる第２作動機構１５５が配設されている。
【００４８】
(第１支持体)
第１支持体２００は、図９、図１０、図１２、図２０および図２１に示すように、第１支持部材２０２と、該第１支持部材２０２の後側に配設される第２支持部材２１０とを備えている。第１支持部材２０２と第２支持部材２１０とは、前後に所要の間隔をおいて前後に組み付けられ、第１支持部材２０２と第２支持部材２１０との間に、上下に開口した第２配設空間２００ａが画成されている(図９、図１３)。第１支持部材２０２の後面(第２配設空間２００ａに臨む面)には、第２作動機構１５５を構成する複数(実施例では４つ)の各アーム部材２６１,２６２,２６３,２６４を回転可能に支持するアーム支持部２０３ａ,２０３ｂ,２０３ｃ,２０３ｄと、駆動手段としての第２駆動モータ２６０とアーム部材２６２,２６３とを連係する第２従動ギア２６６を回転可能に支持するギア支持部２０４ａと、アーム部材２６３,２６４を連結する第２従動ギア２６６を回転可能に支持するギア支持部２０４ｂとが設けられている。また、第１支持部材２０２の後面には、ネジ締結孔が形成された取付ボス２０５が、後方へ延出した状態で複数設けられ、第２支持部材２１０を該第１支持部材２０２に固定するネジが該ネジ締結孔に締結されるようになっている。
【００４９】
第２支持部材２１０は、図１０、図１２、図２０および図２１に示すように、後面の左寄りに、第２作動機構１５５の第２駆動モータ２６０を固定する第２モータ固定部２１１が設けられると共に、後面における左右略中央に、スライドレール１９０の移動支持レール１９３を固定する第２レール固定部２１２が設けられている。また、第２支持部材２１０には、第２モータ固定部２１１の下側に、後方へ延出したバネ連結部２１７が設けられている。第２モータ固定部２１１には、第２駆動モータ２６０の駆動軸２６０ａが挿通可能な軸挿通孔２１３と、該第２駆動モータ２６０を固定するネジが締結されるネジ締結孔２１４とが設けられている。また、第２レール固定部２１２は、上下方向に延在する縦長の部分であり、該第２レール固定部２１２の後面に、複数(実施例では２つ)のネジ締結ボス２１５が上下に離間して設けられ、スライドレール１９０の移動支持レール１９３を固定するネジが該ネジ締結ボス２１５に締結されるようになっている。更に、第２支持部材２１０の後面における右下には第２支持部２１６が設けられ(図１０、図２２参照)、該第２支持部２１６には、第１作動機構１５４を構成する第２レバー部材２３２が回転自在に支持されるようになっている。
【００５０】
(第１装飾体)
第１装飾体２０１は、図９、図２０および図２１に示すように、第１支持部材２０２の前側に取り付けられる第１装飾部材２２０と、第１装飾部材２２０の後側に配設される光拡散シート２２１と、光拡散シート２２１の後側に配設される枠部材２２２と、該枠部材２２２の後側に配設される第１発光基板２２３とを備えている。第１装飾部材２２０は、横長で所要の意匠形状に形成されると共に、塗装やメッキ等の装飾が施されている。また、第１装飾部材２２０は、少なくとも第１発光基板２２３の前側部分が光透過性を有するよう構成されている。第１発光基板２２３は、発光手段である複数の第１ＬＥＤ２２３ａが前面に実装されており、図示省略した配線により前述の中継基板１８９に電気的に接続されている。これにより、第１可動体１５２の第１装飾体２０１は、第１発光基板２２３の第１ＬＥＤ２２３ａの発光時に、第１装飾部材２２０の一部または全体が明輝されるようになっている。
【００５１】
第１支持体２００および第１装飾体２０１から構成された第１可動体１５２は、第１支持部材２０２が、スライドレール１９０の移動支持レール１９３に第２レール固定部２１２において固定されることで、ベース体１５１に対して上下方向にスライド移動可能に配設される。また、第１可動体１５２は、第１作動機構１５４の第１レバー部材２３１および第２レバー部材２３２を介して第１駆動モータ２３０に連係されていることで、該第１駆動モータ２３０の駆動により第１初期位置(図６〜図１０)および第１移動位置(図１２〜図１４)の間を昇降移動するようになる。
【００５２】
(第１作動機構)
第１作動機構１５４は、図１０および図１４に示すように、駆動制御される駆動手段としての第１駆動モータ２３０と、ベース体１５１の第１ベース部材１６０の前板部１６１後側の第１支持部１６３に回動可能に取り付けた前述した第１レバー部材２３１と、該第１レバー部材２３１の揺動端側に連結されると共に、第１可動体１５２に設けられた前述の第２支持部２１６に回転可能に連結した第２レバー部材２３２とを備えている。すなわち、第１作動機構１５４は、サブ制御装置１１２のサブ制御基板により制御される第１駆動モータ２３０の駆動により第１レバー部材２３１および第２レバー部材２３２を姿勢変位させて、第１可動体１５２を第１初期位置および第１移動位置の間で往復移動させる。
【００５３】
(第１駆動モータ)
第１駆動モータ２３０は、例えば正逆回転が可能な電気モータで、減速用のギアボックスを備えており、図示省略した配線により前述した中継基板１８９と電気的に接続されている。ギアボックスには、第１モータ固定部１７４に設けたネジ締結孔１８１に締結されるネジ用のネジ挿通孔を備えたブラケットが設けられている。従って、第１駆動モータ２３０は、その駆動軸２３０ａに第１駆動ギア２３３を固定した状態で、ネジ挿通孔に挿通したネジをネジ締結孔１８１に締結することで、第１駆動ギア２３３がギア収容部１８０に収容されると共にモータ本体が後方に向いた姿勢で第１モータ固定部１７４に固定される。そして、第１駆動モータ２３０は、前述したサブ制御装置１１２により駆動制御される。なお、第１駆動モータ２３０には、モータ本体をカバーするモータカバー２３６が装着される(図５、図１６参照)。
【００５４】
(第１レバー部材)
第１レバー部材２３１は、図１０および図１４に示すように、細長の棒状部材であり、長手の一端側に支持孔２３１ａが設けられると共に、長手の他端側に連結孔２３１ｂが設けられている。第１レバー部材２３１の支持孔２３１ａは、ベース体１５１に設けられた第１支持部１６３に嵌合し、該第１レバー部材２３１は、軸心が前後に向いた第１支持部１６３に枢支された状態で揺動が可能となっている。また、第１レバー部材２３１の連結孔２３１ｂは、第２レバー部材２３２に設けられた連結ボス２３２ｂが嵌合するようになっている。また、図１０、図１４、図２０および図２１に示すように、第１レバー部材２３１の長手の一端側には、第１駆動モータ２３０の駆動軸２３０ａに固定された第１駆動ギア２３３に噛合する第１従動ギア２３４が設けられている。第１従動ギア２３４は、支持孔２３１ａと中心を同一とした扇形をなし、円弧先端に複数の歯部が形成されている。従って、第１レバー部材２３１は、第１駆動モータ２３０の駆動により、図１０に示す第１姿勢および図１４に示す第２姿勢の間を揺動可能となっている。なお、第１従動ギア２３４は、第１レバー部材２３１と一体に形成されている。
【００５５】
(第２レバー部材)
第２レバー部材２３２は、図１０、図１４、図２０および図２１に示すように、細長の棒状部材であり、長手の一端側に支持孔２３２ａが設けられると共に、長手の他端側に前述した連結ボス２３２ｂが設けられている。第２レバー部材２３２の支持孔２３２ａは、第１可動体１５２に設けられた前述の第２支持部２１６に嵌合し、該第２レバー部材２３２は、軸心が前後に向いた第２支持部２１６に枢支された状態で揺動が可能となっている。また、第２レバー部材２３２の連結ボス２３２ｂは、第１レバー部材２３１に設けられた連結孔２３１ｂに前側から嵌合するようになっている。第１レバー部材２３１の連結孔２３１ｂに嵌合した第２レバー部材２３２の連結ボス２３２ｂは、ベース体１５１に設けられた前述のガイド溝１７６に前側から整合するようになっており、該ガイド溝１７６に後側から整合するスライド部材２３５が、該ガイド溝１７６を介して連結ボス２３２ｂに固定されている。
【００５６】
(スライド部材)
スライド部材２３５は、図６および図１２に示すように、ガイド溝１７６の短手幅より僅かに小さい直径をなす小径部２３５ａと、該小径部２３５ａの後側に設けられて該小径部２３５ａより大径の大径部２３５ｂとを備え、該小径部２３５ａがガイド溝１７６内に嵌合した状態で該ガイド溝１７６に沿って摺動可能となっている。そして、大径部２３５ｂがガイド溝１７６の開口縁に係合していることで、第１レバー部材２３１および第２レバー部材２３２が前方へがたつくことを規制し得るようになっている。
【００５７】
前述のように構成された第１作動機構１５４は、図１０に示すように、第１レバー部材２３１の第１姿勢においては、該第１レバー部材２３１に連結された第２レバー部材２３２が、第２支持部２１６を中心として右方へ回転しながら上方へ移動することで、第１可動体１５２を第１初期位置とする。また、第１作動機構１５４は、図１４に示すように、第１駆動モータ２３０の駆動により第１レバー部材２３１を第１姿勢から第２姿勢へ回転させると、該第１レバー部材２３１に連結された第２レバー部材２３２が、第２支持部２１６を中心として左方へ回転しながら下方へ移動することで、第１可動体１５２を第１移動位置へ移動させる。
【００５８】
(補助手段)
実施例の可動演出装置１５０は、図６〜図９、図１３および図２２に示すように、第１可動体１５２を第１移動位置から第１初期位置側へ付勢する補助手段としてのゼンマイバネ２４１を備えている。ゼンマイバネ２４１は、帯状のバネ鋼を渦巻き状に巻回した巻回部２４２を有し、該バネ鋼が巻回部２４２から引き出し可能となっている。ゼンマイバネ２４１は、巻回部２４２の外周側に位置する第１端部２４３を第１可動体１５２に連結すると共に、巻回部２４２の中心側に位置する第２端部２４４をベース体１５１に連結させた状態で配設されている。これにより可動演出装置１５０は、第１可動体１５２が第１初期位置から第１移動位置へ移動する際に、渦巻き状に巻回したバネ鋼の第１端部２４３側が巻回部２４２から引き出されるようゼンマイバネ２４１が弾性変形することで、該ゼンマイバネ２４１に発現する復元力により第１可動体１５２を第１初期位置側へ付勢するよう構成されている。
【００５９】
図６、図９および図２２に示すように、ベース体１５１の第２ベース部材１７０に設けられたバネ支持部１７７にバネ支持体２４５が配設されており、ゼンマイバネ２４１の巻回部２４２が、該バネ支持体２４５に取り付けられている。バネ支持体２４５は、ゼンマイバネ２４１の巻回部２４２が遊嵌状態で回転自在に取り付け可能な円筒部２４６と、円筒部２４６における一端に周方向へ延在すると共に径方向へ突出したフランジ部２４７とを備えている。すなわち、バネ支持体２４５は、円筒部２４６の内径はゼンマイバネ２４１の巻回部２４２の内径より小さく、フランジ部２４７の外径は該巻回部２４２の内径より大きく設定されている。そして、バネ支持体２４５は、円筒部２４６の軸心を左右方向とすると共に、フランジ部２４７をベース体１５１の左側壁１８２と反対側(左側)とした向きで、該左側壁１８２に固定されている。従って、バネ支持体２４５に取り付けたゼンマイバネ２４１の第１端部２４３側は、帯状のバネ鋼の幅方向が左右方向に向いた状態で、巻回部２４２の外周後側から引き出されるようになっている(図６、図９参照)。また、バネ支持体２４５の円筒部２４６に取り付けたゼンマイバネ２４１の巻回部２４２は、左側壁１８２およびフランジ部２４７により左右方向への移動が規制され、該巻回部２４２が円筒部２４６から外れないよう構成されている。そして、図６、図９および図１０に示すように、バネ支持体２４５は、第１可動体１５２に配設された第２作動機構１５５の第２駆動モータ２６０の直上に位置している。
【００６０】
(バネ連結部)
ゼンマイバネ２４１の第１端部２４３は、図６、図８および図９に示すように、第１可動体１５２に設けられたバネ連結部２１７に連結される。バネ連結部２１７は、第２支持部材２１０において、第２駆動モータ２６０用の第２モータ固定部２１１の真下に隣接して設けられている。また、バネ連結部２１７は、第２支持部材２１０から後方へ突出した状態に形成されて、その突出端にネジ締結孔２１８が形成されており、該ネジ締結孔２１８には、ゼンマイバネ２４１の第１端部２４３に形成されたネジ挿通孔２４３ａに挿通したネジ(図示せず)が締結可能になっている。従って、ゼンマイバネ２４１の第１端部２４３側は、ネジ挿通孔２４３ａに挿通したネジをネジ締結孔２１８に締結することで、バネ鋼の幅方向が左右方向に向いた状態でバネ連結部２１７の突出端に固定される。なお、バネ連結部２１７の後方への延出長さは、第２モータ固定部２１１に固定した第２駆動モータ２６０のモータ本体の長さより僅かに小さく設定されている(図８、図９参照)。
【００６１】
ゼンマイバネ２４１の第１端部２４３側は、図６および図９に示すように、バネ連結部２１７から外れた位置に、バネ鋼の厚み方向へ折れ曲がった折曲部２４３ｂが設けられている。これにより、巻回部２４２から引き出されて第１端部２４３がバネ連結部２１７に連結されたバネ鋼は、折曲部２４３ｂにおいて後方へ変向するようになっている。すなわち、ゼンマイバネ２４１は、第１駆動モータ２６０をカバーするモータカバー２６７との接触が回避されて、該第１駆動モータ２６０の後側近傍を延在するよう構成されている。
【００６２】
従って、実施例の可動演出装置１５０は、図６、図９、図１０、図１２〜図１４に示すように、ゼンマイバネ２４１の巻回部２４２から引き出されたバネ鋼が、第１可動体１５２の移動方向である上下方向に沿って下方へ延出して、該第２駆動モータ２６０の直下に設けられたバネ連結部２１７に第１端部２４３が連結されている。すなわち、第２駆動モータ２６０は、ゼンマイバネ２４１におけるベース体１５１に配設された巻回部２４２と第１可動体１５２に連結された第１端部２４３との間に配設されており、巻回部２４２から引き出されたバネ鋼の延在方向に沿う線上に第２駆動モータ２６０が配置された構成となっている。
【００６３】
そして、ゼンマイバネ２４１は、第２駆動モータ２６０の上方に位置する巻回部２４２から引き出されたバネ鋼が、該第２駆動モータ２６０の後方を通過してバネ連結部２１７に連結されているため、図６、図９および図１０に示すように、第１可動体１５２が第１初期位置にある場合でも、バネ鋼が巻回部２４２から所要長で引き出されて復元力が発現するようになっている。これにより、第１可動体１５２は、第１初期位置において、ゼンマイバネ２４１の復元力により、第１移動位置への移動が規制されて該第１初期位置に保持され得るよう構成されている。
【００６４】
なお、ゼンマイバネ２４１は、第１可動体１５２の重量および第２可動体１５３,１５３の重量に鑑み、第１可動体１５２を第１初期位置および第１移動位置の間を昇降移動させる第１駆動モータ２３０の駆動を好適に補助し得る復元力が発現されるものが選択されている。
【００６５】
(第２可動体)
実施例の可動演出装置１５０は、図５、図７および図１５に示すように、第１可動体１５２の前側に、該第１支持体２００に移動可能に配設された複数(実施例では２つ)の第２可動体１５３,１５３を備えている。第２可動体１５３,１５３は、夫々の第２初期位置が第１装飾体２０１と重なると共に、夫々の第２移動位置が該第１装飾体２０１を挟んで反対方向となっている。第２可動体１５３,１５３は、第１支持体２００に配設された第２作動機構１５５に支持されており、第２作動機構１５５における第２駆動モータ２６０の駆動制御に伴い夫々の第２初期位置および第２移動位置の間を移動するよう構成されている。すなわち、第１可動体１５２が第１移動位置にある場合において、第２駆動モータ２６０の駆動に伴い夫々の第２可動体１５３,１５３を夫々の第２移動位置へ移動させることで、第１可動体１５２の第１装飾体２０１の両側(実施例では第１可動体１５２の上方および下方)に該第２可動体１５３,１５３が夫々位置するよう構成されている。なお、一対の第２可動体１５３,１５３は、図７に示すように、前後方向において互いに重ならない関係で第１可動体１５２に配設されている。
【００６６】
第２可動体１５３,１５３は、図１７、図２０および図２１に示すように、第２装飾ベース部材２５０と、該第２装飾ベース部材２５０の前側に配設される第２装飾部材２５１と、第２装飾ベース部材２５０と第２装飾部材２５１との間に画成された空間内において、第２装飾部材２５１の後側に配設される光拡散シート２５２と、光拡散シート２５２の後側に配設される第２発光基板２５３とを備えている。第２装飾ベース部材２５０は、第２装飾部材２５１より一回り小さい輪郭形状に形成される共に、後面上部から後方へ延出する複数(実施例では２つ)の取付ボス２５４,２５４が、左右に離間して一体に形成されている。第２初期位置が第１可動体１５２の左前側となる第２可動体１５３は、第１可動体１５２の第１支持体２００において右側に支持された２つのアーム部材(第１アーム部材２６１および第２アーム部材２６２)に、夫々の取付ボス２５４,２５４を利用して連結することで両アーム部材２６１,２６２に支持されている。また、第２初期位置が第１可動体１５２の右前側となる第２可動体１５３は、第１可動体１５２の第１支持体２００において左側に支持された２つのアーム部材(第３アーム部材２６３および第４アーム部材２６４)に、夫々の取付ボス２５４,２５４を利用して連結することで両アーム部材２６３,２６４に支持されている。なお、夫々の第２可動体１５３,１５３には、該第２可動体１５３,１５３に設けられた一対の取付ボス２５４,２５４の突出端間に架設される保持部材２５５が固定され(図１２、図１６参照)、取付ボス２５４に枢支された第１〜第４アーム部材２６１,２６２,２６３,２６４が、該取付ボス２５４から外れるのを防止するようになっている。
【００６７】
(第２装飾部材および第２発光基板)
夫々の第２可動体１５３,１５３の第２装飾部材２５１は、図２０および図２１に示すように、所要の意匠形状に形成されると共に、塗装やメッキ等の装飾が施されている。また、第２装飾部材２５１は、少なくとも第２発光基板２５３の前側部分が光透過性を有するよう構成されている。第２発光基板２５３は、前面に複数の第２ＬＥＤ２５３ａが実装されており、図示省略した配線により第１発光基板２２３に電気的に接続されている。これにより、夫々の第２可動体１５３,１５３は、第２発光基板２５３の第２ＬＥＤ２２３ａの発光時に、第２装飾部材２５１の一部または全体が明輝されるようになっている。
【００６８】
(第２作動機構)
第１可動体１５２に配設されて、一対の第２可動体１５３,１５３を夫々の第２初期位置および第２移動位置の間で移動させる第２作動機構１５５は、図１７〜図２１に示すように、駆動手段としての第２駆動モータ２６０と、第２駆動モータ２６０に連係され、該第２駆動モータ２６０の駆動により姿勢変位する前述の第１〜第４アーム部材２６１,２６２,２６３,２６４とを備えている。第１〜第４アーム部材２６１,２６２,２６３,２６４は、夫々の一端側が第１可動体１５２の第１支持部材２０２に設けられたアーム支持部２０３ａ,２０３ｂ,２０３ｃ,２０３ｄに個別に枢支されている。また第２作動機構１５５は、第２駆動モータ２６０の駆動軸２６０ａに固定された第２駆動ギア２６５と、第２〜第４アーム部材２６２,２６３,２６４に夫々設けられて、第２駆動ギア２６５に直接に噛合または間接的に連係された複数の第２従動ギア２６６とを備えている。第２アーム部材２６２に設けられた第２従動ギア２６６および第３アーム部材２６３に設けられた第２従動ギア２６６は、ギア支持部２０４ａに回転自在に支持されて第２駆動ギア２６５に噛合した第２従動ギア２６６に噛合している。また、第３アーム部材２６３に設けられた第２従動ギア２６６および第４アーム部材２６４に設けられた第２従動ギア２６６は、ギア支持部２０４ｂに回転自在に支持された第２従動ギア２６６に噛合している。なお、第２駆動モータ２６０のモータ本体は、モータカバー２６７によりカバーされている(図９、図１２参照)。
【００６９】
第１アーム部材２６１の他端および第２アーム部材２６２の他端は、左側の第２可動体１５３の取付ボス２５４,２５４に夫々連結されており、第１支持部材２０２および左側の第２可動体１５３とで平行リンク機構を構成している。従って、第２駆動モータ２６０の駆動により、第１支持部材２０２に対して第１アーム部材２６１および第２アーム部材２６２が平行に回転することで、左側の第２可動体１５３を、第１可動体１５２の前側となる第２初期位置および該第１可動体１５２の上方となる第２移動位置の間を昇降移動させ得るようになっている。一方、第３アーム部材２６３の他端および第４アーム部材２６４の他端は、右側の第２可動体１５３の取付ボス２５４,２５４に夫々連結されており、第１支持部材２０２および右側の第２可動体１５３とで平行リンク機構を構成している。従って、第２駆動モータ２６０の駆動により、第１支持部材２０２に対して第３アーム部材２６３および第４アーム部材２６４が平行に回転することで、右側の第２可動体１５３を、第１可動体１５２の前側となる第２初期位置および該第１可動体１５２の下方となる第２移動位置の間を昇降移動させ得るようになっている。すなわち、第２作動機構１５５は、サブ制御装置１１２により第２駆動モータ２６０を駆動制御することにより、第１〜第４アーム部材２６１,２６２,２６３,２６４が同期的に回転して、夫々の第２可動体１５３,１５３を夫々の第２初期位置および第２移動位置の間で昇降移動させるように構成されている。
【００７０】
(ロック装置)
実施例の可動演出装置１５０は、図６〜図８に示すように、ベース体１５１の後側に固定される取付部材１５７の左部に、第１可動体１５２を第１初期位置にロックするロック装置２７０を備えている。ロック装置２７０は、作動手段としての電磁ソレノイド２７０ａと、該電磁ソレノイド２７０ａのロッドに固定されたロックピン２７０ｂとを備えており、該ロックピン２７０ｂが前方へ突出した姿勢で電磁ソレノイド２７０ａが取付部材１５７に固定されている。ロックピン２７０ｂは、電磁ソレノイド２７０ａの非励磁状態において、ベース体１５１の第１ベース部材１６０から前方へ延出して、第１可動体１５２の後面(第２支持部材２１０の後面)に後方へ突設した係止突部(図１６、図２２参照)２１９の下方に位置することで、第１可動体１５２が第１移動位置に向けて下方へ移動するのを規制し得る。また、電磁ソレノイド２７０ａが励磁制御されると、ロックピン２７０ｂが後方へ移動して係止突部２１９の下方から退避するため、第１可動体１５２が第１移動位置に向けて下方へ移動することが許容される。
【００７１】
(実施例の作用)
実施例のスロットマシン１０では、メダル投入口５９にメダルを投入するか、１ベットボタン６０またはＭＡＸベットボタン６１を操作すると、スタートレバー６３が有効化される。そして、有効化されたスタートレバー６３を操作すると、これに伴ってゲームが開始される。また、ゲームが開始されると、メイン制御装置１１１において入賞役に当選か否かを決定する入賞役抽選が実行されて複数種類の入賞役の何れかまたははずれが決定されると共に、第１〜第３リールユニット１０１,１０２,１０３の各リール１０７の回転が開始される。その後、各第１〜第３ストップボタン６４,６５,６６が有効化され、有効化された第１〜第３ストップボタン６４,６５,６６が操作されると、操作された第１〜第３ストップボタン６４,６５,６６に対応する第１〜第３リールユニット１０１,１０２,１０３のリール１０７の回転が停止される。そして、第１〜第３リールユニット１０１,１０２,１０３のリール１０７が全て停止することで１回のゲームが終了し、このゲームの結果、入賞役抽選で当選した入賞役に対応する図柄の組合わせが窓部８２,８２,８２に揃うと、入賞した入賞役に対応付けられた処理が実行される。
【００７２】
一方、メイン制御装置１１１のメイン制御基板での入賞役抽選結果が、サブ制御装置１１２のサブ制御基板に送信される。サブ制御装置１１２のサブ制御基板は、メイン制御装置１１１から受信した入賞役抽選結果に基づき、演出表示装置７５における表示ユニット７６の表示部７７での演出表示内容や、照明装置６８を含む照明装置の演出内容や、スピーカ７０での演出内容や、可動演出装置１５０を含む演出装置の作動有無等を決定して、決定した内容に基づいて夫々を作動制御する。
【００７３】
サブ制御装置１１２のサブ制御基板が、可動体演出の実行可否判定の結果により、可動演出装置１５０を作動させることが決定された場合には、該サブ制御基板は可動演出装置１５０に所定の制御信号を送信する。なお、制御信号としては、第１作動機構１５４の第１駆動モータ２３０用および第２作動機構１５５の第２駆動モータ２６０用の駆動制御信号と、第１発光基板２２３および第２発光基板２５３におけるＬＥＤ２２３ａ,２５３ａの発光制御信号等が送信される。
【００７４】
(可動演出装置の作動態様について)
可動演出装置１５０は、図１、図５〜図８に示す初期状態において、第１可動体１５２および第２可動体１５３,１５３が、夫々の第１初期位置および第２初期位置に停止保持されている。サブ制御装置１１２のサブ制御基板からの制御信号が可動演出装置１５０に送信されると、第１作動機構１５４の第１駆動モータ２３０が回転駆動を開始する。第１作動機構１５４は、第１駆動ギア２３３と第１従動ギア２３４との噛合のもとで、第１レバー部材２３１が図１０に示す第１姿勢から図１４に示す第２姿勢に向けて正面視において時計方向へ回転し、第１レバー部材２３１に連結された第２レバー部材２３２が第１レバー部材２３１に押されることで、第１初期位置にあった第１可動体１５２は、スライドレール１９０を介してベース体１５１に支持された状態で、該第１初期位置から第１移動位置に向けて下方へ移動する。ここで、第１可動体１５２の第１移動位置は、図２３(ａ)に示すように、前面ユニット部材９０の収容部９５内において、演出表示装置７５における表示ユニット７６の表示部７７の前方に設定されている。従って、前面ユニット部材９０の収容部９５内に収容した状態で配設された可動演出装置１５０の第１可動体１５２は、第１移動位置まで移動すると演出表示装置７５における表示ユニット７６の表示部７７と前後方向で重なった状態となり、該表示部７７を部分的に覆うようになる(実施例では、表示部７７の略上半分の領域を覆うようになる)。
【００７５】
そして、第１レバー部材２３１が第２姿勢まで回転変位して、ガイド溝１７６に係合したスライド部材２３５が該ガイド溝１７６の下端に当接すると、第１可動体１５２が第１移動位置に到達する。そして、スライド部材２３５がガイド溝１７６の下端に当接することで、第１レバー部材２３１および第２レバー部材２３２の回転が規制され、第１可動体１５２が第１移動位置に停止保持される。
【００７６】
(第２可動体の作動)
第１可動体１５２が第１初期位置から第１移動位置まで移動したことが図示省略した位置検出手段により検出されると、サブ制御装置１１２のサブ制御基板からの制御信号に基づき、第２作動機構１５５の第２駆動モータ２６０が回転駆動を開始する。これにより、第２駆動ギア２６５と第２従動ギア２６６との噛合のもとに、第１アーム部材２６１および第２アーム部材２６２が図１８において時計方向へ回転することで、該第１アーム部材２６１および第２アーム部材２６２に支持された左側の第２可動体１５３が、第１可動体１５２に重なった第２初期位置から上方の第２移動位置に向けて上昇移動する。一方、第３アーム部材２６３および第４アーム部材２６４が図１８において時計方向へ回転することで、該第３アーム部材２６３および第４アーム部材２６４に支持された右側の第２可動体１５３が、第１可動体１５２に重なった第２初期位置から下方の第２移動位置に向けて下降移動する。
【００７７】
従って、実施例の可動演出装置１５０は、図１５〜図１７に示すように、第１可動体１５２が第１移動位置となり、夫々の第２可動体１５３,１５３が夫々の第２移動位置となった場合に、第１可動体１５２の上方および下方の第２可動体１５３,１５３が位置して上下３段に各可動体１５２,１５３,１５３が並んだ状態となり、演出表示装置７５の表示部７７の前側において大きく拡大した状態となる(図２３(ｂ)参照)。従って、前面ユニット部材９０の収容部９５内に収容した状態で配設された可動演出装置１５０は、夫々の第２可動体１５３,１５３が第２移動位置に移動すると、演出表示装置７５における表示ユニット７６の表示部７７と前後方向で重なった状態となり、該表示部７７を広く覆うようになる(実施例では、表示部７７の左側下部および右側下部を除く領域を覆うようになる)。すなわち、可動演出装置１５０は、演出表示装置７５の表示部７７の前側において、第１可動体１５２の移動方向である上下方向に第２可動体１５３,１５３が移動することで、第１可動体１５２および第２可動体１５３,１５３の全てが視認されるようになり、迫力かつインパクトのある演出が行われる。
【００７８】
一方、実施例の可動演出装置１５０は、第１可動体１５２および第２可動体１５３が第１移動位置および第２移動位置にある状態から初期状態に復帰する場合には、まず第２作動機構１５５の第２駆動モータ２６０を逆駆動させて、夫々の第２可動体１５３,１５３を夫々の第２初期位置へ移動させる。次いで、第１作動機構１５４の第１駆動モータ２３０を逆駆動させて、第１可動体１５２を第１移動位置から第１初期位置に向けて上方へ移動させる。
【００７９】
(ゼンマイバネによる第１可動体の移動補助)
実施例の可動演出装置１５０は、第１可動体１５２が第１初期位置および第１移動位置の間を昇降移動する際に、ベース体１５１と第１可動体１５２との間に架設されたゼンマイバネ２４１のバネ鋼が巻回部２４２から引き出されて下方へ延出することで発現する付勢力により、第１可動体１５２が常に上方へ付勢された状態となる。すなわち、前述したように、第１可動体１５２が第１初期位置にある場合であっても、ゼンマイバネ２４１のバネ鋼が巻回部２４２から所要長に引き出された状態となっていることから、第１可動体１５２が第１初期位置、第１移動位置および両位置間の中途位置の何れの位置にあっても、第１可動体１５２および第２可動体１５３,１５３の重量がゼンマイバネ２４１の付勢力に相当する分だけ相殺される。従って、第１作動機構１５４の第１駆動モータ２３０に加わる負荷が軽減され得る。
【００８０】
実施例の可動演出装置１５０によれば、ベース体１５１と第１可動体１５２との間に架設されたゼンマイバネ２４１は、該第１可動体１５２が第１初期位置から第１移動位置へ移動する際に、渦巻き状に巻回した巻回部２４２からバネ鋼が引き出されるように弾性変形するので、第１可動体１５２が第２位置から第１位置側へ付勢されるようになり、第１駆動モータ２３０の駆動に伴って第１可動体１５２のスムーズな移動が可能となる。そして、ゼンマイバネ２４１は、巻回部２４２からバネ鋼が引き出されるように弾性変形するので、第１可動体１５２およびベース体１５１に配設された部材との間に、バネ鋼の厚み以上の僅かな隙間があれば該バネ鋼を通すことが可能であるので、該ゼンマイバネ２４１の占有スペースを小さくして可動演出装置１５０の小型化を図り得る。また、ゼンマイバネ２４１の占有スペースを小さくし得るので、可動演出装置１５０の設計の自由度も高められる。
【００８１】
また、実施例の可動演出装置１５０では、ベース体１５１に配設したバネ支持体２４５が第１駆動モータ２３０の直上に位置すると共に、バネ支持体２４５に取り付けられたゼンマイバネ２４１における巻回部２４２から引き出された第１端部２４３側を、第１可動体１５２における第１駆動モータ２３０の直下に位置するバネ連結部２１７に連結するよう構成した。これにより、ゼンマイバネ２４１の巻回部２４２と第１端部２４３との間に第１駆動モータ２３０が位置すると共に、巻回部２４２から引き出されたバネ鋼の延在方向に沿う線上において第１駆動モータ２３０が第１可動体１５２に配設されているので、第１可動体１５２がゼンマイバネ２４１によりバランスよく支持され、該第１可動体１５２を第１初期位置および第１移動位置の間でスムーズに昇降移動させ得る。
【００８２】
また、実施例の可動演出装置１５０では、ゼンマイバネ２４１の巻回部２４２をベース体１５１に取り付けて、該ゼンマイバネ２４１の重量が第１可動体１５２に付与されないよう構成されているので、第１可動体１５２を第１初期位置および第１移動位置の間で昇降移動させる第１駆動モータ２３０に対する負荷が軽減され得る。
【００８３】
〔変更例〕
本発明に係る遊技機は、実施例に例示の形態に限らず種々の変更が可能である。
（１）可動演出装置は、１つの可動体のみ備えたものであってもよい。
（２）第１可動体の第１初期位置および第１移動位置の間の移動方向は、実施例で例示した上下方向に限らず、左右方向、前後方向または斜め方向であってもよい。
（３）第１可動体に配設される第２可動体は、１つまたは３つ以上であってもよい。また、第２可動体における夫々の第２移動位置は、実施例で例示した上下方向に限らず、第１可動体を挟んで左右方向や斜め方向であってもよい。
（４）補助手段としてのゼンマイバネは、その巻回部を第１可動体側に配設すると共に、巻回部から引き出した第１端部側を固定部であるベース体側に連結することで、ベース部および第１可動体に架設するようにしてもよい。
（５）補助手段としてのゼンマイバネは、巻回部の回転軸方向を可動演出装置の左右方向となるようにベース体または第１可動体に配設して、該巻回部から引き出されるバネ鋼の幅方向が該可動演出装置の前後方向となるようにしてもよい。また、ゼンマイバネは、巻回部の回転軸方向が、可動演出装置の前後方向および左右方向の両方向と斜めに交差する向きに配設してもよい。
（６）補助手段は、第１可動体と第２可動体とに架設されて、第２可動体を移動させる第２駆動モータを補助するものであってもよいる
（７）補助手段としてのゼンマイバネは、第１作動機構を構成する駆動手段である第１駆動モータを挟んで、巻回部および第１端部を配設するようにしてもよい。
（８）補助手段としてのゼンマイバネは、バネ鋼を渦巻き状に巻回した巻回部の中心側に位置する第２端部側を引き出すようにして、巻回部を固定部または可動体の何れか一方に配設すると共に、第２端部を固定部または可動体の他方に連結するようにしてもよい。
（９）バネ鋼から構成されたゼンマイバネは、導電性を有すると共にアース部に接続し、該ゼンマイバネにおける巻回部から引き出された第１端部側を駆動手段に接触した状態で延在するよう構成してもよい。このような構成とすれば、導電性を有すると共にアース部に接続されたゼンマイバネが駆動手段に接触するので、該駆動手段に帯電し得る静電気を該ゼンマイバネを介してアース部へ放電し得る効果が得られる。また、バネ鋼から形成されたゼンマイバネが駆動手段に接触することで、該駆動手段で発生した熱をゼンマイバネを介して放熱することも可能である。
（１０）可動演出装置は、前面扉ではなく、筐体や支持枠体に配設したものであってもよい。
（１１）実施例では、サブ制御装置により可動演出装置を作動制御するようにしたが、メイン制御装置により該可動演出装置を作動制御するようにしてもよい。
（１２）実施例では、遊技機としてのスロットマシンを示したが、可動演出装置が配設される遊技機はスロットマシンに限られるものではなく、パチンコ機やアレンジボール機等であってもよい。すなわち、本願発明は、固定枠としての外枠の開口前面側に開閉および着脱可能に組み付けられ、図柄表示装置が配設された遊技盤を着脱可能に保持する本体枠としての中枠を有する本体と、該本体における中枠の前面側に開閉可能に組み付けられ、遊技盤を透視保護可能に構成された装飾枠としての前枠からなる前側部材とを備えたパチンコ機において、当該中枠、遊技盤または前枠に配設され、第１位置および第２位置の間を移動可能に固定部に支持された可動体と、可動体を第２位置から第１位置側へ付勢する補助手段とを備えたパチンコ機も対象とされる。
（１３）実施例では、筐体と前面扉との間に支持枠体が配設されて、図柄表示装置および制御装置を該支持枠体に配設して構成されたスロットマシンを例示したが、支持枠体を装備せずに、図柄表示装置および制御装置が筐体内に設置されたスロットマシンであってもよい。
【００８４】
本願には、次のような技術的思想が含まれている。
(付記)
請求項１〜３の何れか一項に記載の遊技機において、
前記ゼンマイバネ(241)は、導電性を有すると共にアース部に接続されており、
前記ゼンマイバネ(241)は、巻回部(242)から引き出された第１端部(243)側が前記駆動手段(260)に接触した状態で延在する。
付記に係る発明によれば、導電性を有するゼンマイバネが駆動手段に接触するので、該駆動手段に帯電し得る静電気を該ゼンマイバネを介してアース部へ放電することができる。また、バネ鋼から形成されたゼンマイバネが駆動手段に接触することで、該駆動手段で発生した熱をゼンマイバネを介して放熱することも可能である。
【符号の説明】
【００８５】
１５１ ベース体(固定部)
１５２ 第１可動体(可動体)
１５３ 第２可動体(別の可動体)
２４１ ゼンマイバネ(補助手段)
２４２ 巻回部
２４３ 第１端部
２４４ 第２端部
２６０ 第２駆動モータ(駆動手段)
【図１】
0006298379.tif 000002
【図２】
0006298379.tif 000003
【図３】
0006298379.tif 000004
【図４】
0006298379.tif 000005
【図５】
0006298379.tif 000006
【図６】
0006298379.tif 000007
【図７】
0006298379.tif 000008
【図８】
0006298379.tif 000009
【図９】
0006298379.tif 000010
【図１０】
0006298379.tif 000011
【図１１】
0006298379.tif 000012
【図１２】
0006298379.tif 000013
【図１３】
0006298379.tif 000014
【図１４】
0006298379.tif 000015
【図１５】
0006298379.tif 000016
【図１６】
0006298379.tif 000017
【図１７】
0006298379.tif 000018
【図１８】
0006298379.tif 000019
【図１９】
0006298379.tif 000020
【図２０】
0006298379.tif 000021
【図２１】
0006298379.tif 000022
【図２２】
0006298379.tif 000023
【図２３】
0006298379.tif 000024